(57)【要約】【課題】見易い表示装置を提供する。【解決手段】実施形態によれば画像表示部と、光学部と、光制御部と、を含む表示装置が提供される。画像表示部は、画像を含む光を出射する。光学部は、焦点距離Ｄ１を有する。光制御部は、光の光路上において画像表示部と光学部との間に設けられる。光制御部は、画像表示部から出射された光の第１部分を通過させる中心開口部と、中心開口部の周りに設けられ光の第２部分を通過させる周辺開口部と、を含み、光のうちで第１部分及び第２部分を除く部分を遮蔽する。焦点距離Ｄ１（ミリメートル）と、光学部と光制御部との間の距離Ｄ２（ミリメートル）と、中心開口部と周辺開口部との間の開口部間隔ｄ０（ミリメートル）と、は、ｄ０・Ｄ１／Ｄ２＞２（ミリメートル）の関係を満たす。【選択図】図１
2014102394.tif 000002
【特許請求の範囲】
【請求項１】
画像を含む光を出射する画像表示部と、
焦点距離Ｄ１を有する光学部と、
前記光の光路上において前記画像表示部と前記光学部との間に設けられ、
前記画像表示部から出射された前記光の第１部分を通過させる中心開口部と、
前記中心開口部の周りに設けられ前記光の第２部分を通過させる周辺開口部と、
を含み、前記光のうちで前記第１部分及び前記第２部分を除く部分を遮蔽する光制御部と、
を備え、
前記焦点距離Ｄ１（ミリメートル）と、
前記光学部と前記光制御部との間の距離Ｄ２（ミリメートル）と、
前記中心開口部と前記周辺開口部との間の開口部間隔ｄ０（ミリメートル）と、
は、
ｄ０・Ｄ１／Ｄ２＞２（ミリメートル）
の関係を満たす表示装置。
【請求項２】
前記中心開口部の前記光路に直交する方向における幅は、０．２ミリメートル以上１ミリメートル以下である請求項１記載の表示装置。
【請求項３】
前記周辺開口部は、複数のサブ開口部を含み、
前記開口部間隔ｄ０は、前記複数のサブ開口部と前記中心開口部との間の距離の最小値である請求項１または２に記載の表示装置。
【請求項４】
前記複数のサブ開口部の前記光路に直交する方向における幅は、前記中心開口部の前記光路に直交する方向における前記幅よりも小さい請求項３記載の表示装置。
【請求項５】
前記複数のサブ開口部のそれぞれの前記光路に直交する方向における幅は、前記複数のサブ開口部のそれぞれと前記中心開口部との間の距離によって変化する請求項３記載の表示装置。
【請求項６】
最近接する２つの前記サブ開口部どうしの間隔は、前記開口部間隔ｄ０よりも短い請求項３〜５のいずれか１つに記載の表示装置。
【請求項７】
前記複数のサブ開口部の一部は、前記中心開口部を中心とする第１の同心円に沿って並び、
前記複数のサブ開口部の別の一部は、前記中心開口部を中心とし、前記第１の同心円の外側の第２の同心円に沿って並ぶ請求項３〜６のいずれか１つに記載の表示装置。
【請求項８】
前記周辺開口部は、前記中心開口部を中心とする円に沿って延在する請求項１または２に記載の表示装置。
【請求項９】
光制御部は、前記光路上において前記周辺開口部と重なり前記周辺開口部を通過する前記光の強度、波長分布及び拡散性の少なくともいずれかを変化させる光学層をさらに含む請求項１〜８のいずれか１つに記載の表示装置。
【請求項１０】
前記光路上において前記光学部から前記焦点距離の位置と、前記光制御部と、の間に設けられ、第１主面と前記第１主面とは反対側の第２主面とを有し、前記光を前記第１主面で反射し、前記第２主面から入射する光の少なくとも一部を通過させる反射層をさらに備えた請求項１〜９のいずれか１つに記載の表示装置。
【発明の詳細な説明】
【技術分野】
【０００１】
本発明の実施形態は、表示装置に関する。
【背景技術】
【０００２】
焦点フリー型のヘッドマウントディスプレイ（ＨＭＤ）が提案されている。このＨＭＤでは、目の調節機能を利用せず、例えば、網膜に映像を直接投影する。
【０００３】
例えば、光路中にピンホールを設けたピンホール光学系を用いることで、焦点フリー効果が得られる。焦点フリー光学系においては、画像が見える領域（視域）が、実質的に一点である。その一点に目の位置を合わせることで、表示が見える。目の位置をその一点に合わせることが難しく、使い難く見難い。複数のピンホールを設ける構成もある。
【先行技術文献】
【特許文献】
【０００４】
【特許文献１】特開２００４−１５７１７３号公報
【発明の概要】
【発明が解決しようとする課題】
【０００５】
本発明の実施形態は、見易い表示装置を提供する。
【課題を解決するための手段】
【０００６】
本発明の実施形態によれば、画像表示部と、光学部と、光制御部と、を含む表示装置が提供される。前記画像表示部は、画像を含む光を出射する。前記光学部は、焦点距離Ｄ１を有する。前記光制御部は、前記光の光路上において前記画像表示部と前記光学部との間に設けられる。前記光制御部は、前記画像表示部から出射された前記光の第１部分を通過させる中心開口部と、前記中心開口部の周りに設けられ前記光の第２部分を通過させる周辺開口部と、を含み、前記光のうちで前記第１部分及び前記第２部分を除く部分を遮蔽する。前記焦点距離Ｄ１（ミリメートル）と、前記光学部と前記光制御部との間の距離Ｄ２（ミリメートル）と、前記中心開口部と前記周辺開口部との間の開口部間隔ｄ０（ミリメートル）と、は、ｄ０・Ｄ１／Ｄ２＞２（ミリメートル）の関係を満たす。
【図面の簡単な説明】
【０００７】
【図１】図１（ａ）及び図１（ｂ）は、第１の実施形態に係る表示装置を示す模式図である。
【図２】第１の実施形態に係る表示装置を示す模式的斜視図である。
【図３】第１の実施形態に係る表示装置を示す模式図である。
【図４】図４（ａ）〜図４（ｉ）は、表示装置の特性を示す模式図である。
【図５】第１の実施形態に係る表示装置の特性を示す模式図である。
【図６】第１の実施形態に係る別の表示装置を示す模式図である。
【図７】図７（ａ）〜図７（ｃ）は、第１の実施形態に係る別の表示装置を示す模式図である。
【図８】図８（ａ）〜図８（ｂ）は、第１の実施形態に係る別の表示装置を示す模式図である。
【図９】第１の実施形態に係る別の表示装置を示す模式図である。
【図１０】第２の実施形態に係る別の表示装置を示す模式図である。
【発明を実施するための形態】
【０００８】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００９】
（第１の実施形態）
図１（ａ）及び図１（ｂ）は、第１の実施形態に係る表示装置を例示する模式図である。  
図１（ａ）に表したように、本実施形態に係る表示装置１１０は、画像表示部１０と、光学部２０と、光制御部３０と、を含む。
【００１０】
画像表示部１０は、画像を含む光５０を出射する。画像表示部１０は、例えば、液晶層及び有機ＥＬ層の少なくともいずれかを含む。画像表示部１０には、例えば液晶表示装置や有機ＥＬ表示装置などが用いられる。画像表示部１０として、例えばレーザ描画式の表示素子を用いても良い。画像表示部１０には、任意の表示素子を用いることができる。
【００１１】
光学部２０は、焦点距離Ｄ１（第１距離Ｄ１、ミリメートル：ｍｍ）を有する。この例では、光学部２０には、凸レンズが用いられる。後述するように、光学部２０として凹面鏡を用いても良い。
【００１２】
光制御部３０は、光５０の光路５０Ｌ上において、画像表示部１０と光学部２０との間に設けられる。画像表示部１０から出射した光５０の少なくとも一部が、光制御部３０に入射する。光制御部３０は、その光５０の一部を遮断し、他の一部を通過させる。
【００１３】
光制御部３０を通過した光５０が、光学部２０に入射する。光学部２０から出射した光５０は、光学部２０から光学部２０の焦点位置Ｐｆにおいて、集光する。焦点位置Ｐｆは、光路５０Ｌ上の位置である。
【００１４】
この例では、表示装置１１０は、反射層４０をさらに含む。反射層４０は、光路５０Ｌ上において、光学部２０から焦点距離の位置（焦点位置Ｐｆ）と、光制御部３０と、の間に設けられる。反射層４０は、第１主面４０ａと第２主面４０ｂとを有する。第２主面４０ｂは、第１主面４０ａとは反対側の面である。反射層４０は、光５０を第１主面４０ａで反射する。反射層４０は、第２主面４０ｂから入射する光（背景光５５）の少なくとも一部を通過させる。
【００１５】
表示装置１１０の使用者（観視者８０）の目８１が、焦点位置Ｐｆの近傍に配置される。光５０は、目８１の瞳孔８２を通過して、網膜８３に入射する。光５０は、網膜８３上に結像する。この例では、光学部２０を通過した光５０が、反射層４０の第１主面４０ａで反射して、目８１に向けて進む。観視者８０は、光５０に含まれる画像を観視する。さらに、観視者８０は、反射層４０の第２主面４０ｂから入射した背景光５５により、背景の像を観視する。例えば、観視者８０は、画像と背景像とを同時に観視できる。画像は、背景像に重畳される。例えば、背景像の道に対応して、進行方向を示す矢印を含む画像が表示される。
【００１６】
実施形態において、光路５０Ｌは、１つの直線状でなく、折り曲げられても良い。この例では、反射層４０により、光路５０Ｌが折り曲げられている。この例では、画像表示部１０、光制御部３０及び光学部２０は、１つの直線上に並んでいる。光路５０Ｌのうちで、画像表示部１０、光制御部３０及び光学部２０を通過する光は、Ｚ１軸に沿っている。反射層４０で反射した後の光は、Ｚ２軸に沿っている。例えば、Ｚ２軸は、Ｚ１軸に対して非平行である。
【００１７】
図１（ｂ）は、光制御部３０の構成を例示している。  
この図は、光路５０Ｌに対して垂直な平面に光制御部３０を投影したときの構成を例示している。
【００１８】
図１（ｂ）に表したように、光制御部３０は、中心開口部３１と、周辺開口部３２と、を含む。
【００１９】
例えば、光制御部３０に遮光部３５が設けられる。遮光部３５に、中心開口部３１と、周辺開口部３２と、が設けられても良い。
【００２０】
中心開口部３１は、例えばピンホールである。周辺開口部３２は、中心開口部３１の周りに設けられる。この例では、周辺開口部３２は、複数のサブ開口部３３を含む。複数のサブ開口部３３は、例えば、サブピンホールである。
【００２１】
複数のサブ開口部３３は、例えば、中心開口部３１を中心とする同心円に沿って並ぶ。複数のサブ開口部３３は、例えば、第１サブ開口部３３ａと第２サブ開口部３３ｂとを含む。第１サブ開口部３３ａと第２サブ開口部３３ｂとの間に中心開口部３１が配置される。
【００２２】
光制御部３０として、例えば金属板を用いることができる。金属板が遮光部３５となる。金属板に、複数の孔が設けられ、孔の１つが中心開口部３１となる。他の孔が、周辺開口部３２（複数のサブ開口部３３）となる。
【００２３】
光制御部３０として、例えば金属やカーボンなどの遮光性の膜を用いることができる。この遮光性の膜は、例えば、透明は基板上に設けられる。遮光性の膜が遮光部３５となる。基板上において、遮光性の膜が設けられていない部分が、中心開口部３１、及び、周辺開口部３２（複数のサブ開口部３３）となる。
【００２４】
図２は、第１の実施形態に係る表示装置を例示する模式的斜視図である。  
図２に表したように、表示装置１１０は、保持部６０をさらに含むことができる。
【００２５】
保持部６０は、画像表示部１０、光学部２０、光制御部３０及び反射層４０を保持する。例えば、保持部６０に、筐体６５が設けられる。例えば、筐体６５の中に画像表示部１０、光学部２０、光制御部３０及び反射層４０が格納される。
【００２６】
例えば、保持部６０は、右側保持部材６１と、左側保持部材６２と、を有する。右側保持部材６１は、観視者８０の頭部の右側部分（例えば右側の耳の近傍）に接するように設計される。左側保持部材６２は、観視者８０の頭部の左側部分（例えば左側の耳の近傍）に接するように設計される。これにより、保持部６０は、画像表示部１０、光学部２０、光制御部３０及び反射層４０と、観視者８０の目８１と、の間の空間的配置を規定する。保持部６０により、光５０が、目８１に安定して入射し、安定した表示を可能にする。
【００２７】
図１（ａ）に表したように、中心開口部３１は、画像表示部１０から出射された光５０の第１部分５１を通過させる。周辺開口部３２は、光５０の第２部分５２を通過させる。例えば、第１サブ開口部３３ａは、光５０の一部５２ａを通過させる。第２サブ開口部３３ｂは、光５０の別の一部５２ｂを通過させる。光５０の一部５２ａ及び光５０の別の一部５２ｂは、第２部分５２に含まれる。
【００２８】
光制御部３０（例えば遮光部３５）は、光５０のうちで第１部分５１及び第２部分５２を除く部分を遮蔽する。
【００２９】
光学部２０と光制御部３０との間の距離を第２距離Ｄ２（ミリメートル）とする。ここで、光学部２０と光制御部３０との間の距離は、光学的な長さである。光学部２０と光制御部３０との間の距離は、両者の間の物理的な長さとは必ずしも一致しない。光路５０Ｌ上において、光学部２０と光制御部３０との間に鏡などが配置される場合においては、光学部２０と光制御部３０との間の距離は、光学部２０と鏡との間の距離と、光制御部３０と鏡との間の距離と、の合計となる。
【００３０】
以下、実施形態において、距離は、光学的な長さである。また、複数の要素どうしの距離は、複数の要素のそれぞれの光学的な中心どうしの距離である。例えば、光５０のうちの中心に位置する光線（中心光線）を基準とする。例えば、第１要素のうちで中心光線が通過する部分の位置と、第２要素のうちで中心光線が通過する部分の位置と、の間の距離が、第１要素と第２要素との距離となる。
【００３１】
光学部２０と焦点位置Ｐｆとの間の距離（第１距離Ｄ１）が、光学部２０の焦点距離に対応する。この例では、光学部２０と反射層４０との間のＺ１軸に沿った距離が、距離Ｄａ１（ミリメートル）である。反射層４０と焦点位置Ｐｆとの間のＺ２軸に沿った距離が、距離Ｄｂ１（ミリメートル）である。第１距離Ｄ１は、距離Ｄａ１と距離Ｄｂ１との和である。
【００３２】
一方、図１（ｂ）に示したように、中心開口部３１と周辺開口部３２との間隔を開口部間隔ｄ０（ミリメートル）とする。周辺開口部３２が、複数のサブ開口部３３を含む場合は、開口部間隔ｄ０は、複数のサブ開口部３３と中心開口部３１との間の距離の最小値である。
【００３３】
図１（ｂ）に示した例では、複数のサブ開口部３３が、同心円上に並ぶ。この場合、開口部間隔ｄ０は、第１サブ開口部３３ａと中心開口部３１との間の間隔に対応する。開口部間隔ｄ０は、第２サブ開口部３３ｂと中心開口部３１との間の間隔に対応する。
【００３４】
中心開口部３１を通過した光（第１部分５１）は、焦点位置Ｐｆを通過し、焦点位置Ｐｆに焦点を形成する。周辺開口部３２を通過した光は、焦点位置Ｐｆとは異なる場所を通過する。例えば、光路５０Ｌに対して平行で焦点位置Ｐｆを通る平面上に、第１周辺位置Ｐａ及び第２周辺位置Ｐｂが存在する。第１サブ開口部３３ａを通過した光（光５０の一部５２ａ）は、第１周辺位置Ｐａを通過する。第２サブ開口部３３ｂを通過した光（光５０の別の一部５２ｂ）は、第２周辺位置Ｐｂを通過する。
【００３５】
実施形態においては、焦点位置Ｐｆと第１周辺位置Ｐａとの間隔ｄａ（ミリメートル）、及び、焦点位置Ｐｆと第２周辺位置Ｐｂとの間隔ｄｂ（ミリメートル）が、瞳孔径ｄｐ（ミリメートル）よりも大きく設定される。瞳孔径ｄｐは、瞳孔８２の径である。
【００３６】
すなわち、焦点位置Ｐｆを含み光路５０Ｌに対して垂直な平面上において、中心開口部３１を通過した光（第１部分５１）と、周辺開口部３２を通過した光（第２部分５２）と、の間の間隔（間隔ｄａ及び間隔ｄｂ）が、瞳孔径ｄｐよりも大きく設定される。
【００３７】
換言すると、間隔ｄａ及び間隔ｄｂが瞳孔径ｄｐよりも大きくなるように、光制御部３０の中心開口部３１と周辺開口部３２との間の間隔（開口部間隔ｄ０）が設定される。
【００３８】
瞳孔径ｄｐは、観視者８０の周囲の明るさなどにより変化する。周囲が明るい場合は、瞳孔径ｄｐは、約２ｍｍである。周囲が暗い場合は、瞳孔径ｄｐは、約８ｍｍである。周囲が中間の明るさの場合は、瞳孔径ｄｐは、例えば、約５ｍｍである。
【００３９】
例えば、表示装置１１０が周囲が暗い状況で使用される場合は、間隔ｄａ及び間隔ｄｂが２ｍｍよりも大きくなるように、光制御部３０の中心開口部３１と周辺開口部３２との間の間隔（開口部間隔ｄ０）が設定される。
【００４０】
例えば、表示装置１１０が周囲が暗い状況で使用される場合は、間隔ｄａ及び間隔ｄｂが８ｍｍよりも大きくなるように、光制御部３０の中心開口部３１と周辺開口部３２との間の間隔（開口部間隔ｄ０）が設定される。
【００４１】
例えば、表示装置１１０が周囲が中間の明るさで使用される場合は、間隔ｄａ及び間隔ｄｂが５ｍｍよりも大きくなるように、光制御部３０の中心開口部３１と周辺開口部３２との間の間隔（開口部間隔ｄ０）が設定される。
【００４２】
例えば、間隔ｄａ及び間隔ｄｂが最小の瞳孔径ｄｐよりも大きくなるように、光制御部３０の中心開口部３１と周辺開口部３２との間の間隔（開口部間隔ｄ０）が設定される。  実施形態によれば、見易い表示装置が提供できる。表示装置１１０の特性については、後述する。
【００４３】
図３は、第１の実施形態に係る表示装置を例示する模式図である。  
図３は、表示装置１１０の光学的な配置を示している。図１（ａ）においては、反射層４０によって、光路５０Ｌが折り曲げられている。図３では、反射層４０を省略して、光路５０Ｌが直線状である場合をモデル的に示している。
【００４４】
実施形態においては、第１距離Ｄ１（光学部２０の焦点距離：ミリメートル）と、光学部２０と光制御部３０との間の第２距離Ｄ２（光学的長さ：ミリメートル）と、中心開口部３１と周辺開口部３２との間の間隔（開口部間隔ｄ０：ミリメートル）と、瞳孔径ｄｐ（ミリメートル）と、は、以下の第１式を満たす。  
ｄ０・Ｄ１／Ｄ２＞ｄｐ            （１）
第１式が満たされることにより、間隔ｄａ及び間隔ｄｂが瞳孔径ｄｐよりも大きくなる。
【００４５】
例えば、表示装置１１０において、第２式が満たされる。  
ｄ０・Ｄ１／Ｄ２＞２（ｍｍ）      （２）
これにより、間隔ｄａ及び間隔ｄｂが２ｍｍよりも大きくなる。これにより、周囲が明るい状況で使用される場合において、間隔ｄａ及び間隔ｄｂが瞳孔径ｄｐよりも大きくなる。
【００４６】
例えば、表示装置１１０において、第３式が満たされる。  
ｄ０・Ｄ１／Ｄ２＞８（ｍｍ）      （３）
これにより、間隔ｄａ及び間隔ｄｂが８ｍｍよりも大きくなる。これにより、周囲が暗い状況で使用される場合において、間隔ｄａ及び間隔ｄｂが瞳孔径ｄｐよりも大きくなる。
【００４７】
例えば、表示装置１１０において、第４式が満たされる。  
ｄ０・Ｄ１／Ｄ２＞５（ｍｍ）      （４）
これにより、間隔ｄａ及び間隔ｄｂが５ｍｍよりも大きくなる。これにより、周囲が中間の状況で使用される場合において、間隔ｄａ及び間隔ｄｂが瞳孔径ｄｐよりも大きくなる。
【００４８】
図１（ａ）に例示したように、第１距離Ｄ１として、距離Ｄａ１と距離Ｄｂ１との和を用いることができる。
【００４９】
本実施形態に係る表示装置１１０においては、画像を形成する表示部（画像表示部１０）と、その表示部からの光の一部を通過させるピンホール（光制御部３０）と、光制御部３０を通過した光を目に導くための接眼光学部（光学部２０）と、が設けられる。光制御部３０は、画像を見るためのメインピンホール（中心開口部３１）と、その周辺に設けられた周辺開口部３２（例えばサブピンホール）と、を有する。メインのピンホールは、画像を見るためのものである。周辺開口部３２は、画像を探すためのものである。
【００５０】
表示部で発生した光は、メインピンホールを通過した後、光学部２０（例えばレンズなど）により屈曲され、使用者（観視者８０）の瞳面の近傍で収束する。本実施形態に係る表示装置１１０においては、目８１の水晶体のピントを用いないので、焦点フリーな画像を提供できる。サブピンホールを通過した光も同様に焦点フリーな画像を提供する。この焦点フリーの画像は、収束点が使用者の瞳上に位置する場合に、観視可能である。この焦点フリーの画像は、収束点が使用者の瞳上から外れた場合には、観視できない。  
実施形態によれば、見易い表示装置が提供できる。
【００５１】
以下、表示装置の特性の例について説明する。  
図４（ａ）〜図４（ｉ）は、表示装置の特性を示す模式図である。  
図４（ａ）〜図４（ｄ）は、第１参考例の表示装置１１９ａの構成及び特性を示している。
【００５２】
図４（ａ）に表したように、表示装置１１９ａにおいては、光制御部３０には、中心開口部３１が設けられており、周辺開口部３２が設けられていない。例えば、遮光部３５が設けられ、遮光部３５に中心開口部３１が設けられる。
【００５３】
表示装置１１９ａにおいて、瞳孔８２の位置が、第１瞳位置８１ａにある場合、光（光５０のうちの第１部分５１）は瞳孔８２に入射する。瞳孔８２が、第２瞳位置８１ｂにある場合は、光は、瞳孔８２に入射しない。
【００５４】
図４（ｂ）及び図４（ｃ）は、第１瞳位置８１ａ及び第２瞳位置８１ｂのそれぞれについて、観視者８０が観視している画像の状態を模式的に示している。
【００５５】
図４（ｃ）に表したように、第１瞳位置８１ａにおいては、画像が観視される。図４（ｂ）に表したように、第２瞳位置８１ｂにおいては、画像は観視されない。
【００５６】
図４（ｄ）は、Ｚ２軸に沿って画像を見た場合に、瞳孔８２の位置を変えたときの画像の状態を模式的に示している。瞳孔８２の位置Ｐ８２が、第１瞳位置８１ａの近傍において、画像が観視できる。瞳孔８２の位置Ｐ８２が、第１瞳位置８１ａを外れると、画像は観視できない。
【００５７】
このように、ピンホールが１つの場合は、観視可能な領域（視域）が、ピンポイントである。視域が狭い。瞳孔８２の位置Ｐ８２が、ピンポイントの視域をはずれると、画像は見えない。
【００５８】
表示装置を使用者が装着したときに、瞳孔８２の位置Ｐ８２は、ピンポイントの視域には必ずしも一致しない。このため、使用者は、ピンポイントの視域を瞳孔８２の位置Ｐ８２に合うように、例えば、表示装置の装着状態を調節する。このとき、視域は狭いため、装着状態をどのように調整した良いか分からない。このため、装着状態を調整することが、困難である。
【００５９】
図４（ｅ）〜図４（ｉ）は、第２参考例の表示装置１１９ｂの構成及び特性を示している。  
図４（ｅ）に表したように、表示装置１１９ｂにおいては、光制御部３０に、中心開口部３１と、周辺開口部３２と、が設けられている。表示装置１１９ｂにおいては、中心開口部３１と、周辺開口部３２と、の間の間隔（開口部間隔ｄ０）が、狭い。表示装置１１９ｂにおいては、間隔ｄａ及び間隔ｄｂが２ｍｍ以下となるように、開口部間隔ｄ０が設定される。例えば、間隔ｄａ及び間隔ｄｂは、瞳孔径ｄｐよりも小さい。
【００６０】
この例では、中心開口部３１に対応する位置と、周辺開口部３２に対応する位置と、において、画像が観視可能である。すなわち、表示装置１１９ｂおける視域は、表示装置１１９ａにおける視域よりも広い。このため、装着状態を調整することが、容易になる。
【００６１】
図４（ｅ）に例示したように、瞳孔８２の位置Ｐ８２が第１瞳位置８１ａ（中心開口部３１に対応する位置）に位置していたときに、光（光５０のうちの第１部分５１）は、瞳孔８２に入射する。そして、瞳孔８２の位置Ｐ８２が、周辺開口部３２に対応する位置に位置していたときにも、光（光５０のうちの第２部分５１）は、瞳孔８２に入射する。
【００６２】
しかしながら、目８１が正面を向いていて瞳孔８２の位置Ｐ８２が第１瞳位置８１ａに位置いたときに、目８１が斜め方向を向いて目８１が回転しただけでも、例えば、周辺開口部３２からの光（第２部分５２）が、瞳孔８２に入射する。すなわち、正面の第１瞳位置８１ａと、斜めの回転状態８１ｃにおいて、異なる像が見えてしまう。
【００６３】
例えば、図４（ｆ）に表したように、目８１が正面を向いていて瞳孔８２の位置Ｐ８２が第１瞳位置８１ａに位置いたときに、画像が正常に観視される。
【００６４】
一方、図４（ｇ）に表したように、目８１が斜め方向を向いて、目８１が回転した回転状態８１ｃにおいては、第１部分５１の画像と、第２部分５２の画像と、が、目８１の回転状態に応じて、見えてしまう。このため、実用上、非常に見難い。
【００６５】
すなわち、図４（ｈ）に表したように、表示装置１１９ｂにおいては、視域が拡がるが、図４（ｉ）に表したように、目８１の位置が変化しなくても、目８１が斜め方向を向いた回転状態８１ｃにおいては、光５０の第２部分５２が見えてしまう。
【００６６】
このように、表示装置１１９ｂにおいては、目８１の位置が動かず、すなわち、表示装置の装着状態が変化しない場合においても、光の第１部分５１と第２部分５２とによって、像が実質的に二重に見えてしまう。これは、開口部間隔ｄ０が小さく、間隔ｄａ及び間隔ｄｂが２ｍｍ以下となるように、すなわち、瞳孔径ｄｐよりも小さくなるように設定されているからである。
【００６７】
図５は、第１の実施形態に係る表示装置の特性を示す模式図である。  
図５は、本実施形態に係る表示装置１１０における表示状態を例示している。  
本実施形態に係る表示装置１１０においては、間隔ｄａ及び間隔ｄｂが２ｍｍよりも大きくなるように、すなわち、瞳孔径ｄｐよりも大きくなるように、開口部間隔ｄ０が設定される。
【００６８】
図５に表したように、中心開口部３１に対応する第１部分５１が入射する位置（焦点位置Ｐｆ）と、周辺開口部３２に対応する第２部分５２が入射する位置（例えば、第１周辺位置Ｐａ及び第２周辺位置Ｐｂ）と、が互いに離れる。すなわち、両者の距離は、瞳孔径ｄｐよりも大きく設定される。実施形態においては、サブピンホールの位置は、メインピンホールからの画像を邪魔しない位置に配置される。
【００６９】
これにより、例えば、目８１が回転しても、瞳孔８２には、光５０の第１部分５１が入射し、第２部分５２は入射しない。すなわち、二重像が抑制できる。
【００７０】
このように、実施形態においては、中心開口部３１と周辺開口部３２とを設けることで視域を拡大して装着状態の調整を容易にできる。さらに、中心開口部３１と周辺開口部３２との間の開口部間隔ｄ０を瞳孔径ｄｐよりも大きく設定することで、二重像を抑制して、見易い表示を提供できる。
【００７１】
上記のように、表示装置１１９ａにおいては、画像が見える領域（視域）がピンポイントであり、画像がどこにあるかわからない。一方、表示装置１１９ｂにおいては、画像の見える収束点を増やして、視域を広げているが、目が動いたときに画像が二重に見えて、見え難い。これに対して、実施形態に係る表示装置１１０においては、画像の位置を探し易く、かつ、画像が見易い。
【００７２】
実施形態において、開口部間隔ｄ０が過度に大きいと、焦点位置Ｐｆと第１周辺位置Ｐａとの間の距離、及び、焦点位置Ｐｆと第２周辺位置Ｐｂとの間の距離が、過度に大きくなる。このため、装着状態の調整の容易化の効果が低下する場合がある。
【００７３】
実施形態においては、例えば、焦点位置Ｐｆを含み光路５０Ｌに対して垂直な平面上において、中心開口部３１を通過した光（第１部分５１）と、周辺開口部３２を通過した光（第２部分５２）と、の間の間隔（間隔ｄａ及び間隔ｄｂ）は、瞳孔径ｄｐの２倍以下に設定される。これにより、開口部間隔ｄ０は過度に大きくならず、装着状態の調整の容易化が効果的に得られる。
【００７４】
例えば、第１距離Ｄ１（光学部２０の焦点距離）と、光学部２０と光制御部３０との間の第２距離Ｄ２（光学的長さ）と、中心開口部３１と周辺開口部３２との間の間隔（開口部間隔ｄ０）と、は、以下の第５式を満たす。  
ｄ０・Ｄ１／Ｄ２＜２・ｄｐ            （５）  
例えば、周囲が明るい状況で使用される場合において、表示装置１１０において、第６式が満たされる。  
ｄ０・Ｄ１／Ｄ２＜４（ｍｍ）          （６）
例えば、周囲が暗い状況で使用される場合において、表示装置１１０において、第７式が満たされる。  
ｄ０・Ｄ１／Ｄ２＜１８（ｍｍ）        （７）
例えば、周囲が中間の明るさの状況で使用される場合において、表示装置１１０において、第８式が満たされる。
ｄ０・Ｄ１／Ｄ２＜１０（ｍｍ）        （８）
これにより、使用条件のそれぞれに合わせて、開口部間隔ｄ０は過度に大きくならず、装着状態の調整の容易化が効果的に得られる。
【００７５】
一方、中心開口部３１の幅（光路５０Ｌに直交する方向における幅）は、０．２ｍｍ以上１ｍｍ以下に設定される。これにより、例えば、実質的に焦点フリーの画像の表示が提供できる。中心開口部３１の幅が０．２ｍｍ未満の場合は、例えば、回折の影響が発生し画質が低下する。中心開口部３１の幅が１ｍｍよりも大きいと、例えば、水晶体での調節を使う結像光学系となり、焦点フリー効果が失われる。
【００７６】
図６は、第１の実施形態に係る別の表示装置を例示する模式図である。  
図６は、本実施形態に係る別の表示装置１１１における光制御部３０を例示している。  図６に表したように、周辺開口部３２は、複数のサブ開口部３３（第１サブ開口部３３ａ及び第２サブ開口部３３ｂなど）。複数のサブ開口部３３のそれぞれの幅ｄ２は、中心開口部３１の幅ｄ１よりも小さい。幅ｄ２は、複数のサブ開口部３３の光路５０Ｌに直交する方向における幅（長さ）である。幅ｄ１は、中心開口部３１の光路５０Ｌに直交する方向における幅（長さ）である。
【００７７】
メインピンホールの径がサブピンホール径と同じ場合は、メインピンホールからの光の輝度と、サブピンホールからの光の輝度と、は、互いにほぼ同等となる。このため、どちら光がメインピンホールからの光か分かり難い場合がある。
【００７８】
これに対して、表示装置１１１においては、サブピンホールの径を、メインピンホールの径よりも小さくする。これにより、メインピンホールからの光の輝度は、サブピンホールからの輝度よりも高くなる。これにより、メインピンホールからの光と、サブピンホールからの光と、の区別が容易になる。例えば、実装状態の調整がより容易になり、より使い易くなる。
【００７９】
図７（ａ）〜図７（ｃ）は、第１の実施形態に係る別の表示装置を例示する模式図である。  
これらの図は、光制御部３０を例示している。  
図７（ａ）に表したように、本実施形態に係る別の表示装置１１２においては、光制御部３０は、光学層３４をさらに含む。この例では、光学層３４として、ＮＤフィルタ３４ａが用いられている。例えば、光学層３４（ＮＤフィルタ３４ａ）は、光路５０Ｌ上において周辺開口部３２と重なる。ＮＤフィルタ３４ａは、周辺開口部３２を通過する光（第２部分５２）の強度を変化させる。例えば、ＮＤフィルタ３４ａは、第２部分５２の強度を弱める。
【００８０】
図７（ｂ）に表したように、本実施形態に係る別の表示装置１１３においては、光学層３４として、カラーフィルタ３４ｂが用いられている。例えば、カラーフィルタ３４ｂは、周辺開口部３２を通過する光（第２部分５２）の波長分布を変化させる。
【００８１】
図７（ｃ）に表したように、本実施形態に係る別の表示装置１１４においては、光学層３４として、拡散フィルタ３４ｃが用いられている。例えば、拡散フィルタ３４ｃは、周辺開口部３２を通過する光（第２部分５２）の拡散性を変化させる。例えば、拡散フィルタ３４ｃを通過した後の光の拡散性は、拡散フィルタ３４ｃを通過する前の光の拡散性よりも大きい。
【００８２】
表示装置１１２〜１１４においても、メインピンホールからの光と、サブピンホールからの光と、の区別が容易になる。例えば、実装状態の調整がより容易になり、より使い易くなる。
【００８３】
実施形態において、光学層３４として、周辺開口部３２を通過する光の強度、波長分布及び拡散性の少なくともいずれかを変化させる層を用いることができる。
【００８４】
表示装置１１２〜１１４においては、サブピンホールを通過するそれぞれの光の輝度は、メインピンホールを通過する光の輝度よりも低くなる。これにより、メインピンホールによる画像を、より探し易くなる。
【００８５】
図８（ａ）〜図８（ｂ）は、第１の実施形態に係る別の表示装置を例示する模式図である。  
これらの図は、光制御部３０を例示している。  
図８（ａ）に表したように、本実施形態に係る別の表示装置１１５においては、最近接する２つのサブ開口部３３どうしの間隔ｄ３は、開口部間隔ｄ０よりも短い。サブピンホールどうしの間隔は、狭い。これにより、メインピンホールからの光（画像）をより探し易くなる。このように、サブピンホールどうしの間隔は、狭いほうが、画像を探し易い。
【００８６】
図８（ｂ）に表したように、本実施形態に係る別の表示装置１１６においては、光制御部３０の周辺開口部３２に、複数のサブ開口部３３が設けられる。この例では、複数のサブ開口部３３は、２つの同心円（第１の同心円３６ａ及び第２の同心円３６ｂ）に沿って設けられている。
【００８７】
すなわち、複数のサブ開口部３３の一部は、中心開口部３１を中心とする第１の同心円３６ａに沿って並ぶ。複数のサブ開口部３３の別の一部は、中心開口部３１を中心とし、第１の同心円３６ａの外側の第２の同心円３６ｂに沿って並ぶ。
【００８８】
表示装置１１６において、第１の同心円３６ａに沿って並ぶサブ開口部３３の幅を、第２の同心円３６ｂに沿って並ぶサブ開口部３３の幅とは、変えても良い。たとえば、前者を後者よりも大きくする。これにより、メインピンホールからの光（画像）をより探し易くなる。
【００８９】
このように、複数のサブ開口部３３のそれぞれの光路５０Ｌに直交する方向における幅を、複数のサブ開口部３３のそれぞれと中心開口部３１との間の距離によって変化させても良い。
【００９０】
実施形態において、サブピンホールを周辺に増やすことで、画像を探せる範囲がさらに広がる。さらに、メインピンホールからのサブピンホールの距離に応じて、サブピンホールの径や色や明るさを変えることで、メインピンホールによる画像に向けて目を誘導しやすくなる。
【００９１】
図９は、第１の実施形態に係る別の表示装置を例示する模式図である。  
この図は、光制御部３０を例示している。  
図９に表したように、本実施形態に係る表示装置１１７においては、周辺開口部３２は、中心開口部３１を中心とする円に沿って延在する。周辺開口部３２は、例えば、環状である。この場合も、メインピンホールによる画像に向けて目を誘導し易くなる。  
光学層３４は、表示装置１１５〜１１７において設けても良い。
【００９２】
（第２の実施形態）
図１０は、第２の実施形態に係る別の表示装置を例示する模式図である。  
図１０に表したように、本実施形態に係る表示装置１２０おいては、光学部２０として、凹面鏡が用いられる。そして、この例では、反射層４０が設けられている。表示装置１２０における反射層４０の設置角度は、表示装置１１０における反射層４０の設置角度に対して、９０度回転させられている。それ以外は、表示装置１１０と同様なので、説明を省略する。
【００９３】
表示装置１１１においても、光制御部３０が設けられる。光制御部３０は、中心開口部３１と周辺開口部３２とを有する。光制御部３０の構成は、例えば、表示装置１１０における光制御部３０の構成と同様である。表示装置１２０において、表示装置１１１〜１１７に関して説明した光制御部３０の構成を適用しても良い。
【００９４】
表示装置１２０においては、光学部２０と反射層４０との間のＺ１軸に沿った距離が、距離Ｄａ１（ミリメートル）である。反射層４０と焦点位置Ｐｆとの間のＺ２軸に沿った距離が、距離Ｄｂ１（ミリメートル）である。この例でも、第１距離Ｄ１（ミリメートル）は、距離Ｄａ１と、距離Ｄｂ１と、の和となる。一方、第２距離Ｄ２（ミリメートル）は、光学部２０と光制御部３０との間の距離である。そして、中心開口部３１と周辺開口部３２との間の開口部間隔ｄ０（ミリメートル）が定義される。
【００９５】
このような第１距離Ｄ１、第２距離Ｄ２、開口部間隔ｄ０及び瞳孔径ｄｐ（ミリメートル）と、は、上記の第１式を満たす。間隔ｄａ及び間隔ｄｂが瞳孔径ｄｐよりも大きくなる。これにより、見易い表示装置が提供できる。
【００９６】
表示装置１２０において、使用する状況に応じて、上記の第２〜第４式を満たしても良い。
【００９７】
さらに、表示装置１２０において、上記の第５〜第８式を満たしても良い。
【００９８】
実施形態によれば、見易い表示装置が提供できる。
【００９９】
なお、本願明細書において、「垂直」及び「平行」は、厳密な垂直及び厳密な平行だけではなく、例えば製造工程におけるばらつきなどを含むものであり、実質的に垂直及び実質的に平行であれば良い。
【０１００】
以上、具体例を参照しつつ、本発明の実施の形態について説明した。しかし、本発明は、これらの具体例に限定されるものではない。例えば、表示装置に含まれる画像表示部、光学部、光制御部、光学層、反射層及び保持部などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【０１０１】
その他、本発明の実施の形態として上述した表示装置を基にして、当業者が適宜設計変更して実施し得る全ての表示装置も、本発明の要旨を包含する限り、本発明の範囲に属する。
【０１０２】
その他、本発明の思想の範疇において、当業者であれば、各種の変更例及び修正例に想到し得るものであり、それら変更例及び修正例についても本発明の範囲に属するものと了解される。
【０１０３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０４】
１０…画像表示部、  ２０…光学部、  ３０…光制御部、  ３１…中心開口部、  ３２…周辺開口部、  ３３…サブ開口部、  ３３ａ…第１サブ開口部、  ３３ｂ…第２サブ開口部、  ３４…光学層、  ３４ａ…ＮＤフィルタ、  ３４ｂ…カラーフィルタ、  ３４ｃ…拡散フィルタ、  ３５…遮光部、  ３６ａ…第１の同心円、  ３６ｂ…第２の同心円、  ４０…反射層、  ４０ａ…第１主面、  ４０ｂ…第２主面、  ５０…光、  ５０Ｌ…光路、  ５１…第１部分、  ５２…第２部分、  ５２ａ、５２ｂ…一部、  ５５…背景光、  ６０…保持部、  ６１…右側保持部材、  ６２…左側保持部材、  ６５…筐体、  ８０…観視者、  ８１…目、  ８１ａ…第１瞳位置、  ８１ｂ…第２瞳位置、  ８１ｃ…回転状態、  ８２…瞳孔、  ８３…網膜、  １１０〜１１７、１１９ａ、１１９ｂ、１２０…表示装置、  Ｄ１…焦点距離（第１距離）、  Ｄ２…距離（第２距離）、  Ｄａ１、Ｄａ２…距離、  Ｐ８２…位置、  Ｐａ…第１周辺位置、  Ｐｂ…第２周辺位置、  Ｐｆ…焦点位置、  ｄ０…開口部間隔、  ｄ１、ｄ２…幅、  ｄ３…間隔、  ｄａ、ｄｂ…間隔、  ｄｐ…瞳孔径
【図１】
2014102394.tif 000003
【図２】
2014102394.tif 000004
【図３】
2014102394.tif 000005
【図４】
2014102394.tif 000006
【図５】
2014102394.tif 000007
【図６】
2014102394.tif 000008
【図７】
2014102394.tif 000009
【図８】
2014102394.tif 000010
【図９】
2014102394.tif 000011
【図１０】
2014102394.tif 000012